(57)【特許請求の範囲】
【請求項１】
自動車のリアワイパーの一端部が取り付けられるリアワイパーホールに設置されるリアワイパーホールカバーであって、
前記リアワイパーホールの深さと同じ厚さを有し、前記リアワイパーホールに嵌合する形状で形成された嵌合部と、前記嵌合部よりも大きく、前記嵌合部が形成される基台とを有し、
前記嵌合部および前記基台が、透明または半透明の部材で形成され、
前記リアワイパーホールの車内側から前記嵌合部が嵌入され、前記基台が車内側の前記リアワイパーホールの周囲の面に対向して設置されることによって、前記リアワイパーホールカバーの車外側の面と前記リアワイパーホールが形成された部材の車外側の面とが面一となるリアワイパーホールカバー。
【請求項２】
前記嵌合部および前記基台の全光線透過率が、１９％以上９３％以下である請求項１記載のリアワイパーホールカバー。
【請求項３】
前記基台の表面であって前記嵌合部の周囲部に、前記リアワイパーホールカバーを前記リアワイパーホールが形成された部材に接着固定する接着部材が設けられている請求項１または２記載のリアワイパーホールカバー。
【請求項４】
前記リアワイパーホールが、前記自動車のリアウインドウであって、非透明な部分に形成されており、
前記リアワイパーホールカバーが、前記非透明な部分に設置される請求項１から３いずれか１項記載のリアワイパーホールカバー。
【請求項５】
請求項１から４いずれか１項記載のリアワイパーホールカバーと、
前記リアワイパーホールカバーの車内側の面に対向して設けられたカメラとを備えたカメラシステム。
【発明の詳細な説明】
【技術分野】
【０００１】
本発明は、自動車のリアワイパーの一端部が取り付けられるリアワイパーホールに設置されるリアワイパーホールカバーおよびそのリアワイパーホールカバーを用いたカメラシステムに関するものである。
【背景技術】
【０００２】
従来、リアウインドウをワイプするリアワイパーが設けられた自動車が広く普及している（たとえば特許文献１および特許文献２参照）。リアワイパーは、標準装備で装着されることが多いが、自動車のユーザによっては、リアワイパーの装着を好まない場合がある。たとえばリアウインドウに強い撥水加工がされている場合には機能的に必要ないし、外観としてリアワイパーが無い方がすっきりした印象であるため、その方がユーザに好まれる場合もある。
【０００３】
そこで、予め装着されたリアワイパーを敢えて取り外すことが行われている。そして、リアワイパーを取り外した後は、リアワイパーを取り付けていた孔（以下、リアワイパーホールという）が開口された状態となるが、そのリアワイパーホールを塞ぐための種々のカバー（以下、リアワイパーホールカバーという）が提案されている。
【先行技術文献】
【特許文献】
【０００４】
【特許文献１】特開２００５−１６２１６８号公報
【特許文献２】特開２０１５−１２３９２１号公報
【発明の概要】
【発明が解決しようとする課題】
【０００５】
しかしながら、従来のリアワイパーホールカバーは、たとえばリアウインドウに取り付ける場合、車外側に取り付けられる部品と車内側に取り付けられる部品との２つの部品から構成され、リアウインドウを挟んで固定するような構成であったため、取り付け作業が複雑で、外観としても非常に目立っていた。
【０００６】
また、従来のリアワイパーホールカバーは、たとえばユーザの好みに合わせて装飾された形状であったり、上述した２つの部品から構成されるため、リアウインドウの車外側の面から突出するような形状であった。
【０００７】
しかしながら、リアワイパーホールカバーは目立たない方が好ましいと思うユーザもおり、その方がデザインとしてもすっきりとする。
【０００８】
なお、特許文献１および特許文献２には、上述したリアワイパーホールカバーについては何も提案されていない。
【０００９】
本発明は、上記の問題に鑑み、簡易な作業で設置することができ、かつ外観上、目立つことなく設置することができるリアワイパーホールカバーを提供することを目的とする。
【課題を解決するための手段】
【００１０】
本発明のリアワイパーホールカバーは、自動車のリアワイパーの一端部が取り付けられるリアワイパーホールに設置されるリアワイパーホールカバーであって、リアワイパーホールの深さと同じ厚さを有し、リアワイパーホールに嵌合する形状で形成された嵌合部と、嵌合部よりも大きく、嵌合部が形成される基台とを有し、嵌合部および基台が、透明または半透明の部材で形成され、リアワイパーホールの車内側から嵌合部が嵌入され、基台が車内側のリアワイパーホールの周囲の面に対向して設置されることによって、リアワイパーホールカバーの車外側の面とリアワイパーホールが形成された部材の車外側の面とが面一となる。
【００１１】
また、本発明のリアワイパーホールカバーにおいて、嵌合部および基台の全光線透過率は、１９％以上９３％以下とすることができる。
【００１２】
また、本発明のリアワイパーホールカバーにおいては、基台の表面であって嵌合部の周囲部に、リアワイパーホールカバーをリアワイパーホールが形成された部材に接着固定する接着部材を設けることができる。
【００１３】
また、本発明のリアワイパーホールカバーにおいて、リアワイパーホールは、自動車のリアウインドウであって、非透明な部分に形成されるものとすることができ、リアワイパーホールカバーは、上記非透明な部分に設置することができる。
【００１４】
本発明のカメラシステムは、上記リアワイパーホールカバーと、リアワイパーホールカバーの車内側の面に対向して設けられたカメラとを備える。
【発明の効果】
【００１５】
本発明のリアワイパーホールカバーによれば、透明または半透明の部材で形成された嵌合部と基台とを有し、リアワイパーホールの車内側から嵌合部が嵌入され、基台が車内側のリアワイパーホールの周囲の面に対向して設置されることによって、リアワイパーホールカバーの車外側の面とリアワイパーホールが形成された部材の車外側の面とが面一となるようにした。これにより、簡易な作業で設置することができ、外観上、目立つことなく設置することができる。
【００１６】
また、リアワイパーホールカバーの車内側の面に対向してカメラを設けるようにすれば、嵌合部および基台が透明または半透明の部材で形成されているので、リアワイパーホールカバーを介して車外の様子をカメラによって撮影することができる。
【図面の簡単な説明】
【００１７】
【図１】本発明のリアワイパーホールカバーの一実施形態の外観斜視図
【図２】図１に示すリアワイパーホールカバーの側面図
【図３】自動車を後方から見た外観図であって、自動車のリアウインドウに形成されたリアワイパーホールに対してリアワイパーホールカバーが取り付けられた状態を示す図
【図４】図３に示すリアワイパーホールカバーの設置部分の拡大図
【図５】図４に示すリアワイパーホールカバーの設置部分のＡ−Ａ線断面図
【発明を実施するための形態】
【００１８】
以下、本発明のリアワイパーホールカバーの一実施形態について、図面を参照しながら詳細に説明する。図１は、本実施形態のリアワイパーホールカバー１の外観斜視図であり、図２は、図１に示すリアワイパーホールカバーの側面図である。
【００１９】
本実施形態のリアワイパーホールカバー１は、自動車のリアワイパーの一端部が取り付けられるリアワイパーホール３ｂ（図４および図５参照）に対して、リアワイパーの代わりに設置されるものである。リアワイパーホール３ｂは、たとえば自動車のリアウインドウ３（図３参照）に形成される貫通孔である。なお、リアワイパーホール３ｂの位置については、リアウインドウ３に限らず、リアワイパーの一端部が取り付けられる位置であれば、自動車の後方部の如何なる位置でもよい。
【００２０】
そして、本実施形態のリアワイパーホールカバー１は、図１に示すように、円形の部材であって、嵌合部１０と、基台２０とを備える。本実施形態のリアワイパーホールカバー１は、１枚のアクリル板を加工することによって製造され、嵌合部１０と基台２０とは一体として構成されている。ただし、これに限らず、嵌合部１０と基台２０とを別々に形成し、これらを接着などすることによって、図１に示すようなリアワイパーホールカバー１を構成するようにしてもよい。
【００２１】
リアワイパーホールカバー１は、上述したリアワイパーホール３ｂの大きさに応じた大きさおよび形状で形成される。具体的には、嵌合部１０は、リアワイパーホール３ｂに嵌入可能な直径であって、リアワイパーホール３ｂよりも僅かに小さい直径で形成されている。なお、嵌合部１０とは、基台２０から突出している部分のことをいう。
【００２２】
たとえばリアワイパーホール３ｂの直径をｄとした場合、嵌合部１０の直径は（ｄ−ｘ）ｍｍの大きさで形成され、０．１ｍｍ≦ｘ≦０．５ｍｍとすることが好ましい。すなわち、リアワイパーホール３ｂと嵌合部１０との間の隙間は、０．５ｍｍ以下であることが好ましい。嵌合部１０の直径は、たとえば２８ｍｍ〜３８ｍｍとすることができる。
【００２３】
また、本実施形態では、嵌合部１０の形状は、リアワイパーホール３ｂの形状に合わせて円形としたが、リアワイパーホール３ｂの形状と同じであれば円形に限らず、たとえばリアワイパーホール３ｂが楕円である場合には、嵌合部１０も楕円で形成してもよいし、リアワイパーホール３ｂが多角形である場合には、嵌合部１０も同様の多角形で形成してもよい。
【００２４】
また、基台２０は、上述した嵌合部１０よりも大きく、上記嵌合部１０が形成されるものである。具体的には、本実施形態では、基台２０は、リアワイパーホール３ｂに嵌入不可能な直径であって、リアワイパーホール３ｂよりも大きい直径で形成されている。たとえば図５に示すＷの幅は、嵌合部１０の直径の１０％以上２０％以下であることが好ましい。１０％以上とした場合には、リアワイパーホールカバー１の基台２０とリアウインドウ３との接触面積を増やすことができ、リアワイパーホールカバー１を外れにくくすることができる。また、２０％以下とした場合には、リアワイパーホールカバー１を目立たなくすることができる。
【００２５】
また、嵌合部１０の厚さ（嵌合部１０と基台２０との段差の厚さ）Ｔ（図２参照）は、リアワイパーホール３ｂの深さ、すなわち本実施形態の場合、リアウインドウ３の厚さと同じ厚さで形成される。具体的には、嵌合部１０は、たとえば３ｍｍ〜３．１ｍｍの厚さで形成される。
【００２６】
また、基台２０の上面であって、嵌合部１０の周囲部には粘着テープ２０ａが設けられている。この粘着テープ２０ａによってリアワイパーホールカバー１とリアウインドウ３とが接着固定される。本実施形態では、粘着テープ２０ａが、本発明の接着部材に相当する。
【００２７】
図３は、自動車２を後方から見た外観図であって、自動車２のリアウインドウ３に形成されたリアワイパーホール３ｂに対してリアワイパーホールカバー１が取り付けられた状態を示す図である。また、図４は、図３に示すリアワイパーホールカバー１の設置部分の拡大図であり、図５は、図３に示すリアワイパーホールカバー１の設置部分のＡ−Ａ線断面図である。
【００２８】
図３〜図５に示すように、本実施形態のリアワイパーホールカバー１は、リアワイパーホール３ｂに対して車内側から嵌合部１０が嵌入され、基台２０が車内側のリアワイパーホール３ｂの周囲の面に対向して設置される。本実施形態では、図５に示すように、基台２０に設けられた粘着テープ２０ａと車内側のリアワイパーホール３ｂの周囲の面とが接触することによって、リアワイパーホールカバー１がリアウインドウ３に接着される。本実施形態のリアワイパーホールカバー１によれば、上述したように粘着テープ２０ａによって接着固定するようにしたので、簡易な作業で設置することができる。
【００２９】
そして、本実施形態のリアワイパーホールカバー１は、上述したようにリアワイパーホール３ｂに設置されることによって、図５に示すように、リアワイパーホールカバー１の車外側の面１０ａと、リアワイパーホール３ｂが形成されたリアウインドウ３の車外側の面３ａとが面一となるように構成されている。これにより、車外から見たときにリアワイパーホールカバー１を目立たなくすることができる。なお、面一となるように構成されているとは、設計上、面一となるように構成されていることを意味し、製造誤差によって極微小な段差が発生しているものも含むものとする。
【００３０】
また、本実施形態のリアワイパーホールカバー１の嵌合部１０および基台２０は、透明または半透明の材料から形成されている。具体的には、全光線透過率が、１９％以上９３％の材料から形成することが好ましい。全光線透過率は、JIS K 7361-1によって測定された値である。このような材料として、たとえば三菱ケミカル株式会社製のアクリライト（登録商標）ＥＸのクリア（全光線透過率９３％）、ブルースモーク（全光線透過率１９％）またはブラウンスモーク（全光線透過率３０％）などを用いることができる。
【００３１】
ここで、本実施形態の自動車２のリアウインドウ３の周縁部３ｃ（図３で斜線で示す範囲）は非透明となっている。具体的には、たとえば周縁部３ｃには黒色のフィルムなどが貼付されて非透明となっている。特に、リアワイパーホール３ｂの周辺については、リアワイパーをリアワイパーホール３ｂに設置した際に、リアワイパーの駆動機構が車外から見えないように黒いフィルムなどが貼付されている。なお、本発明において非透明とは、少なくともリアワイパーホールカバー１の全光線透過率よりも低いことを意味する。
【００３２】
そして、本実施形態では、リアワイパーホールカバー１の車内側の面に対向して、カメラ３０が設置されている。カメラ３０としては、たとえばドライブレコーダーのカメラが設置されるが、カメラ３０の用途はこれに限らない。
【００３３】
本実施形態のリアワイパーホールカバー１は、上述したように透明または半透明な材料から形成されているので、車外からの光Ｌを車内に入射させることができ、これによりカメラ３０により車外の様子を撮像可能に構成されている。
【符号の説明】
【００３４】
１     リアワイパーホールカバー
２     自動車
３     リアウインドウ
３ｂ   リアワイパーホール
３ｃ   周縁部
１０   嵌合部
２０   基台
２０ａ 粘着テープ
３０   カメラ
【要約】
【課題】簡易な作業で設置することができ、かつ外観上、目立つことなく設置することができるリアワイパーホールカバーを提供する。
【解決手段】自動車のリアワイパーの一端部が取り付けられるリアワイパーホールに設置されるリアワイパーホールカバー１であって、リアワイパーホールの深さと同じ厚さを有し、リアワイパーホールに嵌合する形状で形成された嵌合部１０と、嵌合部１０よりも大きく、嵌合部１０が形成される基台２０とを有し、嵌合部１０および基台２０が、透明または半透明の部材で形成され、リアワイパーホールの車内側から嵌合部１０が嵌入され、基台２０が車内側のリアワイパーホールの周囲の面に対向して設置されることによって、リアワイパーホールカバー１の車外側の面とリアワイパーホールが形成された部材の車外側の面とが面一となる。
【選択図】図１【図１】
0006887706.tif 000002
【図２】
0006887706.tif 000003
【図３】
0006887706.tif 000004
【図４】
0006887706.tif 000005
【図５】
0006887706.tif 000006